(57)【特許請求の範囲】
【請求項１】
鍵を鍵穴に挿入するのを容易にするために可視性が制限されている時に使用するポケット型懐中電燈であって、先端と後端と操作室を形成する形状壁とを有する中空状ハウジングと、後端近くの操作室に配設した電球を有する光線発生手段と、電球の前方に光線室を位置付けするように中空状ハウジングに配置させた光線室用の中空状延長部と、電球からの光線の一部がグラフイック表示部を形成するために不透明区域と協働して透明区域を照明するように光線室に配置させたグラフイック表示部を形成する空中状延長部上に備えた不透明及び透明区域と、電球からの残りの光線が開口部を通して透過させるために光線室の端部に配置させた開口部を有する前面カバーとから成り、懐中電燈の光線発生作動によりグラフイック表示部を照明可能にすると共に鍵穴位置を照明可能にしたポケット型懐中電燈。
【請求項２】
中空状ハウジングの形状とその中空状延長部の形状を長円形にした請求項１に記載のポケット型懐中電燈。
【請求項３】
グラフイック表示部を長円形壁に備えた請求項２に記載のポケット型懐中電燈。
【請求項４】
グラフイック表示部を形成する基体を写真フイルムのネガから構成した請求項１に記載のポケット型懐中電燈。
【請求項５】
グラフイック表示部を形成する基体をプリントした写真から構成した請求項１に記載のポケット型懐中電燈。
【発明の詳細な説明】
【０００１】
本発明は懐中電燈に関するもので、特に１９８９年４月４日にジェームス  ピー  グリフインに与えた米国特許第４８１９１４０号明細書「圧縮可能な懐中電燈」に記載された型式のポケット型懐中電燈に関するものであり、該ポケット型懐中電燈は懐中電燈が宣伝目的のために選択された製造物品であるような範囲まで懐中電燈の作動形態の新しい有用性を付与する。
【０００２】
商標で識別された商品の宣伝は多額の宣伝費、特に印刷媒体、テレビコマーシャル等の費用を請け負ってその商品の販売を生じさせることは一般的な経験により良く知られている。ダイレクトメールのよる費用をかけないで、小売店に備えられている「プレミアム」として宣伝の言い方で知られている商標識別商品を配布する習慣があり、プレミアムとしての配布は宣伝費と比較するとわずかな費用であるが、しかしそれにもかかわらずコスト的に有効である。帽子及びティーシャッツのような商標識別商品が実費で販売され、それらの商品は公衆に商標を認識させるためプレミアムとしての性質を有する。
【０００３】
ポケット型で使用の容易な米国特許第４８１９１４０号明細書の懐中電燈は宣伝のプレミアムとして使用するための望ましい特性を有している。しかし１９３９年７月１８日に発行されたアルバート  ゲラーディン氏の米国特許第２１６６８６４号明細書の「宣伝新製品」及び１９９０年７月３日に発行されたマッゾースホベルステイン氏の米国特許第４９３９６２６号明細書の「使い捨て懐中電燈」に印刷された印及び文により例証された通り、印刷することにより懐中電燈の商標が付された場合に、その製品は宣伝者が無料見本品のプレミアムに望む新しい有用性を欠くことになる。上述した公知の全ての特許製品は製品のコマーシャル表示を高めるために電池発生照明の利点をもたらすのに使用するものではない。
【０００４】
本発明の目的は上述した従来技術の欠点を克服するポケット型懐中電燈を提供することにある。
【０００５】
特に本発明の目的はプレミアム用の懐中電燈内の全ての照明から、鍵穴を認識するための所定量の直線状透過光線と、可視表示を輝しだすための所定量の半径方向透過光線とを生じさせ、両方向の２つの照明を達成する新しい用途を有するポケット型懐中電燈を提供することにある。
【０００６】
本発明による鍵を鍵穴に挿入することを容易にするために可視性が制限されている時に使用するポケット型懐中電燈は先端を後端と操作室を形成する形状壁とを有する空中状ハウジングと、後端近くの操作室に配設した電球を有する光線発生手段と、電球の前方に光線室を位置付けするように空中状ハウジングに配置させた光線室形成用の空中状延長部と、電球からの光線の一部がグラフイック表示部を形成するために不透明区域と協働して透明区域を照明するように光線室に配置させたグラフイック表示部を形成する中空状延長部上の不透明及び透明区域と、電球からの残りの光線が開口部を通して透過させるために光線室の端部に配置させた開口部を有する前面カバーとから構成したものである。
【０００７】
次に本発明のポケット型懐中電燈を添付図面に示した実施例について詳細に説明する。
【０００８】
符号１０で示した本発明の懐中電燈の主要構成部材は電球１４に電気接続されている符号１２で示した光線発生手段であり、該光線発生手段１２は１９８９年４月４日にグラフイン氏に付与した米国特許第４８１９１４０号明細書の圧縮性懐中電燈の対応構成部材と同じ構造と同じ作動形態になっている。特に米国特許第４８１９１４０号明細書から明らかな通り、電球１４を点燈させかつ懐中電燈１０の光端の前面カバー２８中の開口部２６を通して前方に発する光線２４を生じさせるように使用者１６は符号２０で示したボタン位置上で親指１８を下に押圧してハウジング２２内の電池と接続している接点をつなぐことができる。典型的な使用方法は図１に示した通り、鍵穴３０に鍵３２を挿入する準備をなすために鍵穴３０の位置を確認するために使用することにあり、この典型的な日常の作業は鍵３２と鍵穴３０との相互係合が懐中電燈の照明２４なしではいい加減になる時の夕方又は夜間における可視性が減じられている状況下において行われる。
【０００９】
本発明の基本原理によれば、図１の鍵穴の位置定め作業は本来接近した範囲、例えば使用者から３０ｃｍの範囲内で行うものであり、前方向光線２４の光線量は意図した目的を達成するために全て有効に照明する照明範囲を制限することができる。懐中電燈１０用の光線表示部３６を実現させるための半径方向光線３４を備えるためにこの現象が有利に使用させており、その光線表示部３６は宣伝用の製造物品として寄与すると共に新しい有用性を十分に増大させる。
【００１０】
好ましい実施例において、ポケット型懐中電燈１０は長円形のような幾何的図形の中空状ハウジング３８を有し、前面カバー２８を配置するための先端と底部閉止体４０を配置するための後端とを有する可撓性プラスチック材料から形成され、先端の前面カバー２８と後端の閉止体４０との間のハウジング３８は操作室４４を形成する長円形壁から構成されている。
【００１１】
その電池作動電球１４を有する光線発生手段１２は後端近くの操作室４４中に配置されている。
【００１２】
中空状ハウジング３８は３インチ（７．５４ｃｍ）のような所定の長さからなっており、延伸状態で配置させた際にハウジング２２の前方には好ましい実施例において電球１４の前方から１１／４（３．１７５ｃｍ）の距離４８だけ延伸する上部４６が形成されているので、上部４６は電球１４とカバー出口開口部２６との間に光線室５０を形成する。
【００１３】
ハウジング３８の構成材料は内側のハウジング２２の存在を隠すために不透明底部５４を有し、残りの部分は光線室５０を形成する面の内側に付設するか又は刻印した符号５６で示す所定の不透明区域を除き透明にしてある。
【００１４】
透明区域５８と不透明区域５６はグラフイック表示部３６を備えるために適切に配置されており、グラフイック表示部３６において、電球１４から半径方向透過光線３４が不透明区域５６と対比して引き立たせるように透明区域５８のみを照明し、宣伝媒体の製造物品として使用するために懐中電燈１０の良好な外観を付与し、鍵チェーン６０の取付け体としての使用又は通常の懐中電燈としての使用を補足する。
【００１５】
透明区域５８と不透明区域５６を協働させることを特徴とするグラフイック表示部５６に代えて写真を用いることも本発明の範囲内であり、一般的な経験により知られているように、写真フイルムのネガとプリントした写真は協働する透明区域と不透明区域とを有しており、該透明区域及び不透明区域は電球１４からの半径方向透過光線３４のような侵入照明に応答してグラフイック表示部３６と同様の表示部を備える。
【００１６】
上記には本発明の好ましい実施例について詳細に説明したが、本発明は図示の実施例に限定するものではなく、本発明の範囲内において各種の変形及び変更を行うことができる。
【００１７】
【図面の簡単な説明】
【図１】本発明のポケット型懐中電燈の使用状態の斜視図である。
【図２】図１の懐中電燈の分解斜視図である。
【図３】図２の端面図である。
【図４】図３の４−４線に沿う断面図である。
【符号の説明】
１０      懐中電燈
１２      光線発生手段
１４      電球
１６      使用者
１８      使用者の親指
２０      ボタン
２２      ハウジング
２４      前方向光線
２６      開口部
２８      前面カバー
３０      鍵穴
３２      鍵
３４      半径方向光線
３６      光線表示部
３８      中空状ハウジング
４０      底部閉止体
４４      操作室
４８      距離
５０      光線室
５４      不透明底部
５６      不透明区域
５８      透明区域
【図１】
0004424833.tif 000002
【図２】
0004424833.tif 000003
【図３】
0004424833.tif 000004
【図４】
0004424833.tif 000005